(57)【要約】  パッケージ容器（１００）と、パッケージ容器（１００）内に配置される消費者製品と、パッケージ容器（１００）と連通して配置されるパッケージクロージャ（２００）と、パッケージ容器（１００）及びパッケージクロージャ（２００）の隣接する表面上に配置される視認要素のアレイを含むしるし（３００）と、を含む包装された消費者製品。
2016540694.tif 000002
【特許請求の範囲】
【請求項１】
パッケージ容器と、
前記パッケージ容器内に配置される消費者製品と、
前記パッケージ容器と連通して配置されるパッケージクロージャと、
前記パッケージ容器及び前記パッケージクロージャの隣接する表面上に配置される視認要素のアレイを含むしるしと、を含むことを特徴とする、包装された消費者製品。
【請求項２】
前記パッケージ容器と前記パッケージクロージャとの間の境界面を更に含み、前記しるしが前記境界面を跨いで配置される、請求項１に記載の包装された消費者製品。
【請求項３】
前記パッケージ容器と前記パッケージクロージャとの間の境界面を更に含み、前記しるしが、前記境界面の位置に対応する画像のない区域を含む、請求項１に記載の包装された消費者製品。
【請求項４】
前記パッケージ容器及び前記パッケージクロージャが、異なる材料から構成される、請求項１に記載の包装された消費者製品。
【請求項５】
前記パッケージクロージャが、前記消費者製品へのアクセスを提供するために開かれること又は除去されることができる、請求項１に記載の包装された消費者製品。
【請求項６】
前記しるしが、前記消費者製品のブランドエクイティと関連している、請求項１に記載の包装された消費者製品。
【請求項７】
前記しるしが、前記製品のカテゴリーと関連している、請求項１に記載の包装された消費者製品。
【発明の詳細な説明】
【技術分野】
【０００１】
本発明は、包装された製品に関する。本発明は、特に、装飾が施された包装済み消費者製品に関する。
【背景技術】
【０００２】
包装された消費者製品は周知である。こうした製品の包装は、多くの機能を提供する。製品の消費者が製品を使用しようとするまで、製品の一体性は保たれる。製品は、製品を購入して、その製品を販売店から製品を使用する場所まで運ぶのを容易にするようなやり方で、買い物客に提供される。製品の包装はマーケティング手段としても役立つ。製品のパッケージは、製品の供給元の指標としての、製品又はブランドの識別子として使用されてもよい。販売時に包装の上又は近くに表示される特定の情報は、製品に関する情報を製品の潜在的購入者に伝えるのに役立つ場合がある。特定の製品に付随する包装の上に配置される情報及び／又はしるしは、装飾が施されたパッケージの、製品に関する動画放送広告のオンラインに関して印刷された描写、を介したマーケティング手段としての役割を更に果たすことができる。
【０００３】
メーカー、販売業者、小売業者、及びマーケティング担当者が直面している課題の１つは、ますます刺激が強くなってきている環境において、及び自社の特定の製品の売り方を競合製品の売り方と積極的な方法で差別化する中で、買い物客の注意を引くことである。
【発明の概要】
【発明が解決しようとする課題】
【０００４】
必要なのは、選択した製品が小売店の棚の上で目立つことができるようにするメカニズム、又は販売促進資料に表示された際にターゲット市場の購買層の興味を捉えるためのメカニズムである。
【課題を解決するための手段】
【０００５】
一態様において、本発明は、パッケージ容器と、パッケージ容器内に配置される消費者製品と、パッケージ容器と連通して配置されるパッケージクロージャと、パッケージ容器及びパッケージクロージャの隣接する表面上に配置される視認要素のアレイを含むしるしと、を含む包装された消費者製品を含む。
【図面の簡単な説明】
【０００６】
【図１】本発明の一実施形態の概略図を提供する。
【図２】本発明の第２の実施形態の概略図を提供する。
【発明を実施するための形態】
【０００７】
本発明の以下の説明は、本発明の態様の説明的一覧を含む。この一覧は、特定の態様を例示するものとして、又は該態様の例示的な形態であるとして記載され得る。そのような一覧はいずれも、それぞれの態様の限定的な説明を記載していると解釈されるべきでない。
【０００８】
用語「製品」及び「消費者製品」は、最も広い意味で使用され、いずれかの製品、製品群、サービス、通信、娯楽、環境、組織、システム、ツールなどを指す。例えば、製品群の例は、個人、家族又は家庭などにおいて使用される、個人用及び家庭用製品である。個人及び家庭用製品群の製品分類の代表的かつ非限定的なリストの例としては、制汗剤、ベビーケア、オーデコロン、商業製品（消費者向け消費財との、卸売、工業、及び商業市場類似物を含む）、化粧品、デオドラント、食器ケア、女性用保護物品、ヘアケア、ヘアカラー、ヘルスケア、家庭用洗浄剤、洗濯物、口腔ケア、紙製品、個人用洗浄剤、使い捨て吸収性物品、ペットの健康及び栄養製品、処方薬剤、プレステージ香水、スキンケア、食品、スナック及び飲料、特殊布地ケア、剃毛及び他の発毛管理製品、小型電気機器、装置及び電池、散髪などのサービス、美容術、温泉療法、医療、歯科、視覚サービス、映画館などの娯楽施設、スタジアム、加えて、映画ショー（film or movie shows）、演劇、及びスポーツイベントなどの娯楽サービスが挙げられる。多様な製品形態が、これらの各製品分類に該当し得る。
【０００９】
代表的な製品形態及び商標は、Ｐｒｏｃｔｅｒ  ＆  Ｇａｍｂｌｅ社のウェブサイト（ｗｗｗ．ｐｇ．ｃｏｍ）、及びここにリンクされているサイトに示されている。上に列挙したもの以外の製品カテゴリーの一部である消費者製品もまた、本発明によって考慮され、並びに、上で特定したウェブサイトに開示されたもの以外の別の製品の形態及びブランドもまた、本発明によって包含されることが理解されよう。
【００１０】
洗濯製品カテゴリーに該当する代表的な製品としては、洗剤（粉末、液体、タブレット、及びその他の形態を含む）、漂白剤、コンディショナー、柔軟剤、静電気防止製品、及びリフレッシャー（液体離フレッシャー及び乾燥機用シートを含む）が挙げられる。口腔ケア製品カテゴリー内の代表的な製品としては、歯磨剤、フロス、歯ブラシ（手動及び電動形態を含む）、口内洗浄剤、歯肉ケア製品、歯用ホワイトニング製品、及びその他のデンタルケア製品が挙げられる。代表的な女性用保護製品としては、パッド、タンポン、陰唇間製品、及びパンティライナーが挙げられる。代表的なベビーケア製品としては、おむつ、ワイプ、よだれかけ、おむつ交換及びベッドマット、並びに手洗い用フォーミングハンドソープが挙げられる。
【００１１】
代表的なヘルスケア製品としては、緩下剤、繊維サプリメント、口腔及び局所鎮痛剤、胃腸薬製品、呼吸器及び咳／風邪薬製品、熱送達製品、及び水浄化製品が挙げられる。代表的な紙製品には、トイレットペーパー、ペーパータオル、ティッシュペーパーが挙げられる。代表的なヘアケア製品としては、シャンプー、コンディショナー（洗い流し形態及び洗い流さない（leave-in）形態を包含する）、並びに整髪助剤が挙げられる。代表的な住居用ケア製品としては、スイーパー製品、床掃除製品、木製床用クリーナー、抗菌性フロアクリーナー、布地及び空気リフレッシャー、及び洗車用製品が挙げられる。スキンケア製品には、ボディウォッシュ、顔用クレンザー、ハンドローション、保湿剤、コンディショナー、収斂性化粧水、表面剥離製品、微小皮膚研磨及びピーリング製品、皮膚若返り製品、老化防止製品、マスク、紫外線保護製品、並びにスキンケア用パフ、ワイプ、ディスク、布、シート、用具及び装置（スキンケア組成物の有無を問わず）が挙げられるが、これらに限定されない。
【００１２】
他の製品群としては、とりわけ、スポーツ用品、娯楽（本、映画、音楽など）、映像、及び家庭用医療、及び応急手当用品が挙げられる。
【００１３】
用語「パッケージ容器」及び「容器」は、本明細書では同義的に使用され、１つを超える単一要素を有する複合パッケージシステムの本体を意味する。容器は、種々の包装材料、並びに包装材料の組み合わせから構成され得る。代表的な包装材料としては、高密度ポリエチレン、ポリエチレンテレフタレート、鎖状低密度ポリエチレン、アクリロニトリルブタジエンスチレン、及びポリプロピレンなどのポリマー材料、ガラス、木材、セラミック、金属、及び様々な等級の紙、複合材料、並びに上記したものの組み合わせが挙げられる。
【００１４】
パッケージ容器は、容器を製造するための既知の方法を用いて製造されてもよい。代表的な方法としては、吹込み成形、機械加工、射出成形、延伸、接着組立、及びこれらの組み合わせが挙げられる。
【００１５】
用語「パッケージクロージャ」及び「クロージャ」は、本明細書では同義的に使用され、容器部分に操作可能に接続されて製品の消費者が容器内の製品にアクセスするのを制御する働きをする、パッケージシステムの一部を意味する。クロージャは、容器から製品が意図せず分配されるのを防止する働きもする。
【００１６】
クロージャは、容器に関して記載した材料と同様の材料を使用して製造されてもよい。同様の製造方法をクロージャ要素の作製に用いてもよい。任意の特定のパッケージシステムのそれぞれのクロージャ及び容器要素は、同様の又は異なる材料から構成されてもよく、同様の又は異なる方法により製造されてもよい。
【００１７】
クロージャは、クロージャを容器に取り付けることを目的としている要素（例えば、ねじ付き要素、スナップ嵌め構造、又は他の固定機構など）を含むことができる。クロージャは、パッケージシステムの内容物を使用するためのアクセスを提供するために、ポンとはじいて開閉される、ひねって開閉される、又は容器と螺合及び螺合解除されるように設計されてもよい。クロージャが、容器に固着された状態で保持されるが、製品を開け閉めする目的でアクセスするための操作可能なアクセスポイントを提供する、押し上げ式のキャップのような実施形態では、クロージャは、パッケージから取り外されることなく製品へのアクセスを提供することができる。
【００１８】
容器及びクロージャは、以下に記載するシステムのしるし以外に、１つ又は２つ以上の保護コーティング又は装飾コーティングを含んでもよい。コーティングは、装飾の目的で、又はパッケージ表面又は予め適用されている装飾要素を保護する目的で、要素の上に配置されてもよい。
【００１９】
パッケージシステムは、製品の一次包装を構成してもよく、分配するための製品を収容するが、それだけである。一実施形態では、パッケージシステムは、二次以上のレベルの包装を含んでもよく、次に二次以上のレベルの包装は、製品に付随する一次パッケージシステムを収容する。
【００２０】
パッケージシステムの設計は、容器とクロージャとの間の境界面を画定する。境界面は、組み合わされたシステムの外側表面に間隙又は破断部が殆ど又は全く認識できないように表面を重ね合わせることによって生じ得る。組み合わされたものは、システムの表面が容器とクロージャとの間の接合点においてはっきりと分かように中断又は破断されている、はっきりと分かる境界間隙を有していてもよい。境界面の程度及び性質は、パッケージシステムの表面上に適用することが意図されるしるしをデザインする際に考慮されてもよい。一実施形態では、しるしは、各要素の間の境界面の存在又は性質を考慮せずにデザインされてもよい。一実施形態では、しるしのデザインは、境界面の存在を考慮してもよく、また、境界面の位置に対応する区域を含むように構成されて、適用されたしるしが境界領域上のこの区域の上覆いとなるようにしてもよい。記載した区域は、表面上に付着した視認物を殆ど又は全く含まなくてもよい。このように、しるしは、境界間隙の上及び場合によってはその近くに視認要素を配置させないことによって、パッケージシステムの表面にある間隙の存在に対応するようにデザインされてもよい。この区域は、境界面の間隙の一方又は両方の縁部から短い距離だけ延在してもよい。一実施形態では、区域は、間隙の一方又は両方の縁部から約１〜２ミリメートル延在する。一実施形態では、区域は、間隙から約２〜６ミリメートル延在する。しるしのデザインは、間隙が、しるしの全体的なデザインの中で、アクセント又は他の意図するデザイン要素の構成要素となるように、構成されてもよい。
【００２１】
本明細書で使用するとき、用語「しるし」は、パッケージ要素の外側表面上に配置される観察可能な画像を指す。しるしは、英数字、製品ブランドのロゴ又は他のブランドエクイティ要素、製品の使用態様と関連した視認要素、幾何学形状、無定形状、及びこれらの組み合わせを含み得る。しるしは、単一色で構成されてもよく、表面上の１つ又は複数の層に配置された色の組み合わせで構成されてもよい。しるしは、パッケージシステムに関して想定される製造環境、小売環境、卸売環境、又は使用環境に存在する機械的損傷又は他の劣化の影響からの保護を与えることが意図された、しるしの視認要素の上に層として配設された保護コーティングを含んでもよい。
【００２２】
しるしは、この目的に適している印刷機器を使用して、パッケージの表面上に配置されてもよい。しるしは、インク又は塗料といった１種又は２種以上の着色液体材料から構成される別個の視認要素のアレイとして、表面上に配設されてもよい。別個の視認要素は、互いに分離かつ独立していてもよく、又は部分的に又は完全に重複していてもよく、かつ、要素のアレイの観察者が見たときに合成画像を生じさせる要素のネットワークを含んでもよい。一実施形態では、Ｒｏｌａｎｄ，ＤＧＡ，Ｃｏｒｐ．（Ｉｒｖｉｎｅ，Ｃａｌｉｆｏｒｎｉ）から入手可能なＲｏｌａｎｄ  ＬＥＦ−１２（ＵＶフラットベッドプリンタ）を使用して、最大６色の各色又は他の異なる材料を適切に付着させることによって、パッケージ−製品−クロージャの組み合わせにしるしを適用することができる。一例として、プリンターを使用して、シアン−マゼンタ−イエロー−ブラックのパレットから色を適用し、それと同時に更なる選択肢としてホワイトを、更には透明な上塗りニスを適用して、パッケージシステムの要素の表面上に所望のしるしを提供してもよい。
【００２３】
図１に示すように、パッケージ容器１００はパッケージクロージャ２００と組み合わされて、境界面１５０を形成する。しるし３００は、容器１００及びクロージャ２００のそれぞれの表面上に、境界面１５０を跨いで配置される。
【００２４】
図２に示すように、パッケージ容器４００とパッケージクロージャ５００とが組み合わされて、境界面４５０をもたらす。部分６００及び７００が組み合わさって、クロージャの表面及び容器の表面上に配列されたしるしを形成し、境界面を跨ぐ区域には、可視であるしるしは適用されていない。
【００２５】
本明細書に開示される寸法及び値は、列挙された正確な数値に厳しく限定されるものとして理解されるべきでない。むしろ、別段の指定がない限り、かかる寸法のそれぞれは、記載された値及びその値の周辺の機能的に同等な範囲の両方を意味するものとする。例えば、「４０ｍｍ」と開示される寸法は、「約４０ｍｍ」を意味することが意図される。
【００２６】
相互参照されるか又は関連する全ての特許又は特許出願、及び本願が優先権又はその利益を主張する任意の特許出願又は特許を含む、本願に引用される全ての文書は、特に除外すること又は限定することを明言しない限りにおいて、その全容にわたって本願に援用されるものである。いずれの文献の引用も、こうした文献が本願で開示又は特許請求される任意の発明に対する先行技術であることを容認するものではなく、また、こうした文献が、単独で、あるいは他の任意の参照文献との任意の組み合わせにおいて、こうした発明のいずれかを教示、示唆又は開示していることを容認するものでもない。更に、本文書における用語の任意の意味又は定義が、参照することによって組み込まれた文書内の同じ用語の意味又は定義と矛盾する場合には、本文書中で用語に割り当てられる意味又は定義に準拠するものとする。
【００２７】
本発明の特定の実施形態が例示及び説明されてきたが、本発明の趣旨及び範囲から逸脱することなく種々の他の変更及び修正を行い得ることが、当業者には明らかであろう。したがって、本発明の範囲内にあるすべてのかかる変更及び修正を添付の特許請求の範囲で包含することが意図される。
【図１】
2016540694.tif 000003
【図２】
2016540694.tif 000004
【国際調査報告】
2016540694.tif 000005
2016540694.tif 000006
2016540694.tif 000007
2016540694.tif 000008